(57)【要約】【課題】  所期通りの釣り糸に対する収束を掛けることのでき、中竿の糸挿通経路への釣り糸の繰出しを円滑に行い得る中通し竿を提供する。【解決手段】  釣り糸ガイド５の枠フレーム６を、元竿１の外周面に取付られる主フレーム部６Ａと、主フレーム部６Ａに対して揺動自在に支持された補助フレーム部６Ｂとで構成する。主フレーム部６Ａにリールからの釣り糸ｂを誘導する第１糸ガイド孔７を形成し、補助フレーム部６Ｂに第１糸ガイド孔７を通過した釣り糸ｂを糸挿通経路Ａに誘導する第２糸ガイド孔８を形成する。第２糸ガイド孔８を開口４から元竿１の内部空間内に位置する作用姿勢と元竿１の外部空間に位置する非作用姿勢とに切り換えるべく、補助フレーム部６Ｂを位置変更可能に構成してある。【選択図】        図２
2008035771.tif 000002
【特許請求の範囲】
【請求項１】
竿体に、その竿体の内部に形成された糸挿通経路に釣り糸を導入する開口を形成するとともに、リールからの釣り糸を前記糸挿通経路に誘導する釣り糸ガイドを設け、前記釣り糸ガイドの枠フレームを、前記竿体の外周面に取付られる主フレーム部と、前記主フレーム部に対して揺動可能に支持された補助フレーム部とで構成し、前記主フレーム部に前記リールからの釣り糸を誘導する第１糸ガイド孔を形成するとともに、前記補助フレーム部に前記第１糸ガイド孔を通過した釣り糸を前記糸挿通経路に誘導する第２糸ガイド孔を形成し、前記釣り糸ガイドを竿体に取り付けた状態で、前記第２糸ガイド孔を前記開口から竿体の内部空間内に位置する作用姿勢と前記竿体の外部空間に位置する非作用姿勢とに切り換えるべく、前記補助フレーム部を位置変更可能に構成してある中通し竿。
【請求項２】
前記補助フレーム部が作用姿勢に復帰付勢する手段を備えているとともに、揺動することによって、前記非作用姿勢に切り換わるように構成してある請求項１記載の中通し竿。
【発明の詳細な説明】
【技術分野】
【０００１】
本発明は、竿体に、その竿体の内部に形成された糸挿通経路に釣り糸を導入する開口を形成するとともに、リールからの釣り糸を前記糸挿通経路に誘導する釣り糸ガイドを設けてある中通し竿に関する。
【背景技術】
【０００２】
元竿に内部の糸挿通経路に通じる開口を形成し、この開口の縁部に硬質のガイドリングを装着して、釣り糸を糸挿通経路に誘導する糸導入孔としていた。一方、この糸導入孔の外側には釣り糸ガイドが取り付けられ、この釣り糸ガイドの枠フレームに糸ガイド孔を形成し、この糸ガイド孔に硬質のガイドリングを取りつけて、リールから繰出された釣り糸を糸導入孔に案内する機能を発揮させていた（特許文献１参照）。
【０００３】
【特許文献１】特開平１１−１３７１３０号公報（公報第２欄の第１４行〜第２０及び、図１）
【発明の開示】
【発明が解決しようとする課題】
【０００４】
上記構成の場合に、糸導入孔は竿体に形成され、糸ガイド孔は釣り糸ガイドに形成されていた。つまり、糸導入孔と糸ガイド孔とは別個の部材に形成されていた。したがって、糸導入孔と糸ガイド孔とが竿体の周方向でズレを生じた場合には、糸ガイド孔と糸導入孔とで徐々に絞りを掛けてリールから繰出された釣り糸を収束させ、糸挿通経路内に投入することとしていることに反して、位置ズレに起因して糸ガイド孔と糸導入孔とが重なってできる釣り糸の通過孔径が実質的に小さくなって過度に絞りを掛けることとなり、釣り糸の繰出し又は巻き上げに大きな抵抗を与える要因となっていた。
【０００５】
本発明の目的は、リールからの釣り糸をガイドする糸ガイド孔と糸ガイド孔を通過した釣り糸を糸挿通経路にガイドする孔との位置関係を容易に現出できて、所期通りの釣り糸に対する収束を掛けることのでき、中竿の糸挿通経路への釣り糸の繰出しを円滑に行い得る中通し竿を提供する点にある。
【課題を解決するための手段】
【０００６】
〔構成〕
請求項１に係る発明の特徴構成は、竿体に、その竿体の内部に形成された糸挿通経路に釣り糸を導入する開口を形成するとともに、リールからの釣り糸を前記糸挿通経路に誘導する釣り糸ガイドを設け、前記釣り糸ガイドの枠フレームを、前記竿体の外周面に取付られる主フレーム部と、前記主フレーム部に対して揺動可能に支持された補助フレーム部とで構成し、前記主フレーム部に前記リールからの釣り糸を誘導する第１糸ガイド孔を形成するとともに、前記補助フレーム部に前記第１糸ガイド孔を通過した釣り糸を前記糸挿通経路に誘導する第２糸ガイド孔を形成し、前記釣り糸ガイドを竿体に取り付けた状態で、前記第２糸ガイド孔を前記開口から竿体の内部空間内に位置する作用姿勢と前記竿体の外部空間に位置する非作用姿勢とに切り換えるべく、前記補助フレーム部を位置変更可能に構成してある点にあり、その作用効果は次の通りである。
【０００７】
〔作用〕
従来、竿体に設けていた第２糸ガイド孔を、第１糸ガイド孔を形成した枠フレームに設けることによって、第１糸ガイド孔と第２糸ガイド孔とを同一対象物である枠フレームに設けることができる。これによって、第１糸ガイド孔と第２糸ガイド孔との位置関係が、枠フレームを竿体に取り付けることによっても、変化することがない。
したがって、リールから繰出された釣り糸に対して第１糸ガイド孔と第２糸ガイド孔とで所期通りの収束を掛けることができ、竿体の糸挿通経路内に円滑に誘導することができる。
しかも、第２糸ガイド孔は、作用姿勢において開口部より竿体の内部空間内に入り込むことになるので、中竿の竿尻端における竿尻開口に対してその略同一軸線上の近くに位置させることができ、第２糸ガイド孔から中竿の竿尻開口に繰出す釣り糸を円滑に送り込むことができる。
【０００８】
〔効果〕
第１糸ガイド孔と第２糸ガイド孔とを同一対象物である枠フレームに設けるという改良を施すだけで、第１糸ガイド孔と第２糸ガイド孔とを枠フレームに形成する際に位置決め設定ができ、かつ、枠フレームを竿体に取り付けた場合にも第１糸ガイド孔と第２糸ガイド孔との位置関係にズレが生ずることはなく、釣り糸を円滑に糸挿通経路に誘導し、中竿へも円滑に導くことができる。
【０００９】
請求項２に係る発明の特徴構成は、請求項１に係る発明において、前記補助フレーム部が作用姿勢に復帰付勢する手段を備えているとともに、揺動することによって前記非作用姿勢に切り換わるように構成してある点にあり、その作用効果は次の通りである。
【００１０】
〔作用効果〕
つまり、第２糸ガイド孔を形成した補助フレーム部は、付勢力に抗した状態で上方に揺動して非作用姿勢に切り換わる。これによって、釣り糸を糸挿通経路に存置した状態で中竿及び穂先竿を元竿内に収納し、中竿の竿尻端を元竿の尻栓近くまで位置させる状態にした場合に、補助フレーム部が糸挿通経路から退避する非作用姿勢に切り換わることができるので、中竿等との干渉を回避することができる。
しかも、中竿等を引き出してその中竿の竿尻端が、元竿に形成した開口部分より竿先側に位置する状態にまで切り換えた状態では、補助フレーム部は付勢力によって作用姿勢に切り換られるところから、作用姿勢への戻し忘れがなく、釣り糸のガイド機能が低下することはない。
【発明を実施するための最良の形態】
【００１１】
磯竿等に使用される中通し竿について説明する。図１に示すように、元竿１の筒状リールシート２にスピニングリール３を取り付けるとともに、筒状リールシート２より竿先側に開口４を設け、元竿１及び中竿、穂先竿等の竿体の内部空間を糸挿通経路Ａとする中通し竿を構成する。
【００１２】
図１及び図２に示すように、開口４の外方に釣り糸ガイド５を取付固定し、釣り糸ガイド５は元竿１に取付糸ａによって固定される枠フレーム６を装備している。
図２及び図３に示すように、枠フレーム６は、アルミニュウーム、ステンレス、チタン等の金属製であり、元竿１の外周面に載置される前後一対の脚部分６ａ、６ａと両脚部分６ａ、６ａから立ち上げた立設部分６ｂとを備えた主フレーム部６Ａと、主フレーム部６Ａの内側より元竿１の開口４内に入り込む補助フレーム部６Ｂとで構成されている。
【００１３】
図２及び図３に示すように、立設部分６ｂのスピニングリール３に向かう傾斜面に第１糸ガイド孔７を形成するとともに、第１糸ガイド孔７に第１ガイドリング７Ａを装着している。第１ガイドリング７Ａは、超硬合金、セラミック、サーメット等の硬質で滑動性に富む材料で形成されている。
【００１４】
図２及び図３に示すように、枠フレーム６の主フレーム部６Ａの内側面より横軸芯回りで上下揺動自在に補助フレーム部６Ｂを延出するとともに、補助フレーム部６Ｂに第２糸ガイド孔８を形成し、第２糸ガイド孔８の内周縁の全周に亘ってリング状の第２ガイドリング８Ａを装着している。第２ガイドリング８Ａは、超硬合金、セラミック、サーメット等の硬質で滑動性に富む材料で形成されている。
【００１５】
図２及び図３に示すように、補助フレーム部６Ｂは、垂直姿勢となる作用姿勢から、釣り糸ｂを挿通した状態で元上９等を元竿１内に収納した場合には、竿尻側に向けて上方に揺動し非作用姿勢に切り換わる。ここに、図示はしていないが、補助フレーム部６Ｂには、支軸部分にトーションバネ等が装着されているとともに、作用姿勢を越えて穂先側に揺動する状態を規制するストッパ機構（図示せず）が設けてある。
以上のような構成によって、補助フレーム部６Ｂは常に作用姿勢に保持されることなる。
【００１６】
以上のような構成を採る釣り糸ガイド５を開口４の外側に取り付けるには、図１及び図２に示すように、枠フレーム６の前後脚部６ａ、６ａを元竿１の外周面に載置し、その前後脚部６ａ、６ａを、取付糸ａを巻付けて固定する。巻き付けた後は、樹脂塗料を巻き付けた取付糸ａの上から塗布して巻付け状態を固定する。
【００１７】
この取り付けた状態で、図１及び図２に示すように、枠フレーム６の補助フレーム部６Ｂが開口４内に位置して作用姿勢となり、釣り糸ｂを元上９の尻栓９Ａに向けて誘導する構成を採っている。
【００１８】
〔別実施形態〕
（１）  釣り糸ガイド５を取り付ける竿体としては元竿１に定めたもので実施形態を記載したが、元上９に開口４を形成して釣り糸ガイド５を取り付けることとしてもよい。
（２）  補助フレーム部６Ｂとしては、作用姿勢に切り換えるのに付勢手段を設けたが、トーションバネ等の具体的な付勢手段を用いるのではなく、補助フレーム部６Ｂ自体の重量を付勢力として利用する構成でもよい。
【図面の簡単な説明】
【００１９】
【図１】中通し竿の元竿部分を示す側面図
【図２】釣り糸ガイド取付構造を示す縦断側面図
【図３】釣り糸ガイドを示し、（イ）は側面図、（ロ）は平面図
【図４】中竿を元竿内に収納して補助フレーム部を非作用姿勢に切り換えた状態を示す縦断側面図
【符号の説明】
【００２０】
１            竿体（元竿）
３            リール（スピニングリール）
４            開口
５            釣り糸ガイド
６            枠フレーム
６Ａ          主フレーム部
６Ｂ          補助フレーム部
７            第１糸ガイド孔
８            第２糸ガイド孔
Ａ            糸挿通経路
ｂ            釣り糸
【図１】
2008035771.tif 000003
【図２】
2008035771.tif 000004
【図３】
2008035771.tif 000005
【図４】
2008035771.tif 000006